(57)【特許請求の範囲】
【請求項１】
機器本体内部に少なくとも１つの音響及び／又は映像ソースを保有し、外部機器がケーブルにより接続される車載用音響及び／又は映像機器であって、前記機器本体に設けられたＵＳＢコネクタと前記外部機器のＵＳＢコネクタとが専用ケーブルにより接続され、前記機器本体に設けられた操作部に前記音響及び／又は映像ソースおよび外部機器の１つを選択するメニュー画面において、前記機器本体に設けられたＵＳＢコネクタに専用ケーブルが接続されていない状態で前記外部機器の選択ボタンが表示されず、前記機器本体に設けられたＵＳＢコネクタに専用ケーブルが接続されており前記専用ケーブルに前記外部機器のＵＳＢコネクタが接続されてない状態で前記外部機器の選択ボタンが第１の態様で表示され、前記機器本体に設けられたＵＳＢコネクタに専用ケーブルが接続されており前記専用ケーブルに前記外部機器のＵＳＢコネクタが接続された状態で前記外部機器の選択ボタンが第２の態様で表示されるように構成した音響及び／又は映像機器。
【請求項２】
前記第１の態様の表示はトーンダウン表示であり、前記第２の態様の表示はトーンアップ表示である請求項１の音響及び／又は映像機器。
【請求項３】
前記外部機器のＵＳＢコネクタが前記機器本体に設けられたＵＳＢコネクタに接続されたケーブルに接続されたときに、前記機器本体内部の制御部が接続された外部機器の種別を識別し、前記外部機器の選択ボタンに外部機器の種別を表示する請求項１または２の音響及び／又は映像機器。
【請求項４】
前記メニュー画面がタッチパネルに表示される請求項１から３のいずれかに記載した音響及び／又は映像機器。
【発明の詳細な説明】
【技術分野】
【０００１】
この発明は音響及び／又は映像機器に係わり、特に、外部機器がケーブルにより接続される音響及び／又は映像機器に関する。
【背景技術】
【０００２】
特開２００８−２４２５９に開示された車載用オーディオ機器は、ケーブルで制御部に接続され車載用オーディオ機器の収容体内に収容された携帯型オーディオ機器や車載用オーディオ機器に内蔵されたチューナ部等の音源ソースの１つがソース切替えスイッチにより選択されて演奏される。
【０００３】
上記特開２００８−２４２５９に開示された車載用オーディオ機器は、ソース切替えスイッチで音源ソースの１つ選択する場合に、携帯型オーディオ機器と車載用オーディオ機器とがケーブルにより接続されてるか否かが外見上分からないので、ソース切替えスイッチで携帯型オーディオ機器が選択できないと、機器が不具合であると判断される恐れがあった。
【０００４】
図５〜図７に示す従来のケーブルで制御部に接続され車載用オーディオ機器では、車載用音響・映像機器の音源・映像ソースを備えた機器本体５に、ＵＳＢ標準ケーブル６とＵＳＢコネクタを介してＵＳＢデバイス３が接続される。ＵＳＢデバイス３はメモリ型音楽プレーヤ、例えば、ｉＰｏｄ（登録商標）等であり、音源ソースとして用いられるものである。
【０００５】
これらの音源・映像ソースの１つが選択て演奏されると、ソースからの音源は増幅されて車室内のスピーカを駆動し、映像信号は機器本体５のタッチパルネである操作・表示部５ａに写し出される。
【０００６】
図５に示すように、機器本体５にＵＳＢ標準ケーブル６のＵＳＢコネクタが接続されない場合および図６に示すように、ＵＳＢ標準ケーブル６のＵＳＢコネクタが機器本体５に接続され、ＵＳＢ標準ケーブル６にＵＳＢデバイス３であるｉＰｏｄ（登録商標) が接続されていない場合はタッチパルネである操作・表示部５ａの音響・映像ソースの選択画面に機器本体５に内蔵されたＦＭ受信部、ＡＭ受信部、ＣＤ再生部、ＴＶ受信部およびＡＵＸ（外部機器接続端子）の選択ボタンがトーンアップ表示されてこれらのソースが選択可能であることが表示されている。しかしながらＵＳＢデバイス３の選択ボタンは表示されない。
【０００７】
なお、ＡＵＸには外部端子であるテープレコーダの音声出力信号を出力するコネクタ（ＵＳＢコネクタでない）が差し込み可能であり、図５〜図７はこのコネクタが差し込まれた状態を示しており、このコネクタが差し込まれていないときはＡＵＸは表示されない。
【０００８】
この状態でトーンアップ表示された選択ボタンを押すことにより、その選択ボタンが表示したソースが選択された状態となる。すなわち、選択されたソースの音声や映像が駆動または表示状態となる。
【０００９】
ＵＳＢ標準ケーブル６のＵＳＢコネクタが機器本体５に接続され、ＵＳＢ標準ケーブル６にＵＳＢデバイス３であるｉＰｏｄ（登録商標) が接続された図７に示す状態では、さらに、ｉＰｏｄ（登録商標) の選択ボタンがトーンアップ表示され上記機器本体５に内蔵されたソースの他にｉＰｏｄ（登録商標) が選択可能となる。
【００１０】
上記した図５〜図７に示す従来の車載用オーディオ機器では、操作・表示部５ａの音響・映像ソース選択の画面を見ただけでは、ＵＳＢデバイス３が接続されていないと、ＵＳＢデバイス３が使用可能であることまたは接続可能であることが分からず、取扱説明書を読んでない人にとっては使いにくいものであった。
【特許文献１】特開２００８−２４２５９、段落０００８〜段落０００９、図２、図３
【発明の開示】
【発明が解決しようとする課題】
【００１１】
この発明は上記した点に鑑みてなされたものであって、その目的とするところは、機器本体に外部機器接続用のケーブルが接続されると、外部機器もケーブルに接続することにより使用可能となることが表示される車載用音響及び／又は映像機器を提供することにある。
【課題を解決するための手段】
【００１２】
この発明の音響及び／又は映像機器は、機器本体内部に少なくとも１つの音響及び／又は映像ソースを保有し、外部機器がケーブルにより接続される車載用音響及び／又は映像機器であって、前記機器本体に設けられたＵＳＢコネクタと前記外部機器のＵＳＢコネクタとが専用ケーブルにより接続され、前記機器本体に設けられた操作部に前記音響及び／又は映像ソースおよび外部機器の１つを選択するメニュー画面において、前記機器本体に設けられたＵＳＢコネクタに専用ケーブルが接続されていない状態で前記外部機器の選択ボタンが表示されず、前記機器本体に設けられたＵＳＢコネクタに専用ケーブルが接続されており前記専用ケーブルに前記外部機器のＵＳＢコネクタが接続されてない状態で前記外部機器の選択ボタンが第１の態様で表示され、前記機器本体に設けられたＵＳＢコネクタに専用ケーブルが接続されており前記専用ケーブルに前記外部機器のＵＳＢコネクタが接続された状態で前記外部機器の選択ボタンが第２の態様で表示されるように構成したものである。
【００１３】
また、前記車載用音響及び／又は映像機器において、前記第１の態様の表示をトーンダウン表示とし、前記第２の態様の表示をトーンアップ表示としたものである。なお、トーンアップ表示は濃色表示であり、トーンダウン表示は薄色表示である。
【００１４】
また、前記各音響及び／又は映像機器において、前記外部機器のＵＳＢコネクタが前記機器本体に設けられたＵＳＢコネクタに接続されたケーブルに接続されたときに、前記機器本体内部の制御部が接続された外部機器の種別を識別し、前記外部機器の選択ボタンに外部機器の種別を表示するするものである。
【００１５】
また、前記各音響及び／又は映像機器において、前記メニュー画面がタッチパネルに表示されるものである。
【発明の効果】
【００１６】
この発明の音響及び／又は映像機器によれば、機器本体に外部機器接続用のケーブルが接続されると、外部機器もケーブルに接続することにより使用可能となることが表示されるので、取扱説明書を読んでない人にとっても使いやすいものとなる。
【発明を実施するための最良の形態】
【００１７】
以下この発明を実施するための最良の形態を実施例に即して説明する。図１はこの発明の実施例である車載用音響・映像機器を示すブロック図、図２は同車載用音響・映像機器の使用状態を示す斜視図、図３は同車載用音響・映像機器の他の使用状態を示す斜視図、図４は同車載用音響・映像機器のさらに他の使用状態を示す斜視図である。
【００１８】
図１に示す車載用音響・映像機器の機器本体１にはタッチパネルである操作・表示部１ａおよび音声増幅部１ｃと、音源または映像のソースであるＦＭ受信部１ｄ、ＡＭ受信部１ｅ、ＣＤ再生部１ｆ、およびＴＶ受信部１ｈが内蔵されており、また、ＡＵＸ（外部機器接続端子）１ｇが設けられている。
【００１９】
上記機器本体１に内蔵されている音源または映像のソースは機器本体１に内蔵されている制御部１ｂにより、操作・表示部１ａからの指令に従って制御される。そして、音源または映像のソースからの音声信号は音声増幅部１ｃで増幅されて車両装備スピーカ２を駆動し、ＴＶ受信部１ｈからの映像信号は操作・表示部１ａに表示される。
【００２０】
制御部１ｂに接続されている機器本体側ＵＳＢコネクタ１ｊには専用ケーブル４の一端側のＵＳＢコネクタが接続され、専用ケーブル４の他端側のＵＳＢコネクタにはＵＳＢデバイス３のＵＳＢコネクタが接続される。このようにＵＳＢデバイス３が専用ケーブル４およびＵＳＢコネクタを介して機器本体側ＵＳＢコネクタ１ｊに接続された状態でＵＳＢデバイス３はこの車載用音響・映像機器の音源ソースとして使用可能となる。
【００２１】
ＵＳＢコネクタは信号線として使用されない使用されない端子があり、その端子が専用ケーブル４で短絡されていることにより、機器本体側ＵＳＢコネクタ１ｊに専用ケーブル４が接続されたことを制御部１ｂが検出する。また、ＵＳＢデバイス３として使用可能なものに、ｉＰｏｄ（登録商標) が含まれている。専用ケーブル４を介してＵＳＢデバイス３が接続されると、制御部１ｂはＵＳＢデバイス３の種別を識別する。
【００２２】
次に、図２〜図４を参照して上記車載用音響・映像機器の作用を説明する。図示していない電源スイッチがオンとなると、操作・表示部１ａは図２〜図４に示す音響・映像ソースの選択画面となる。図２は機器本体側ＵＳＢコネクタ１ｊに専用ケーブル４が接続されていない場合を示しており、操作・表示部１ａの画面にはＵＳＢデバイス以外のソースの選択ボタンがトーンアップ表示され、ＵＳＢデバイスの選択ボタンは表示されない。
【００２３】
なお、ＡＵＸには外部端子であるテープレコーダの音声出力信号を出力するコネクタ（ＵＳＢコネクタでない）が差し込み可能であり、図５〜図７はこのコネクタが差し込まれた状態を示しており、このコネクタが差し込まれていないときはＡＵＸはトーンダウン表示される。
【００２４】
図３は機器本体側ＵＳＢコネクタ１ｊに専用ケーブル４が接続され、専用ケーブル４にＵＳＢデバイスが接続されていない場合を示しており、操作・表示部１ａの画面にはＵＳＢデバイス以外のソースの選択ボタンがトーンアップ表示され、ＵＳＢデバイスの選択ボタンはトーンダウン表示される。
【００２５】
図４は機器本体側ＵＳＢコネクタ１ｊに専用ケーブル４が接続され、専用ケーブル４にｉＰｏｄ（登録商標) が接続されている場合を示しており、操作・表示部１ａの画面にはＵＳＢデバイス以外のソースの選択ボタンとトーンアップ表示され、さらに、ｉＰｏｄ（登録商標) の選択ボタンがトーンアップ表示される。
【００２６】
図３に示す状態でｉＰｏｄ（登録商標) または他のＵＳＢデバイス３が専用ケーブル４が接続されるとｉＰｏｄ（登録商標) または他のＵＳＢデバイスの選択ボタンがトーンアップ表示となる。このように、トーンアップ表示された選択ボタンを押すことにより選択されたソースが演奏状態となる。
【００２７】
このように機器本体側ＵＳＢコネクタ１ｊに専用ケーブル４が接続されていると、操作・表示部５ａの音響・映像ソースの選択画面を見ただけで外部機器が使用可能であることが分り、取扱説明書を読んでない人にとっても使い勝手のよいものとなる。
【００２８】
なお、この実施例では、能動・不能動がパソコンで広く使用されているトーンアップ表示・トーンダウン表示で表示されるので、取扱説明書を見るまでもなく、表示の意味が理解できるが、能動・不能動を色を変えて表示してもこの発明の効果が得られる。
【００２９】
実施例は以上のように構成されているが発明はこれに限られず、例えば、操作・表示部１ａに押釦スイッチや回転ボリュームを加えてもよい。
【図面の簡単な説明】
【００３０】
【図１】この発明の実施例である車載用音響・映像機器を示すブロック図である。
【図２】同車載用音響・映像機器の使用状態を示す斜視図である。
【図３】同車載用音響・映像機器の他の使用状態を示す斜視図である。
【図４】同車載用音響・映像機器のさらに他の使用状態を示す斜視図である。
【図５】従来の車載用音響・映像機器の使用状態を示す斜視図である。
【図６】同車載用音響・映像機器の他の使用状態を示す斜視図である。
【図７】同車載用音響・映像機器のさらに他の使用状態を示す斜視図である。
【符号の説明】
【００３１】
１  車載用音響・映像機器の機器本体、１ａ  操作・表示部、１ｂ  制御部、１ｃ  音声増幅部、１ｄ  ＦＭ受信部、１ｅ  ＡＭ受信部、１ｃ  ＣＤ再生部、１ｇ  ＡＵＸ（外部接続端子）、１ｈ  ＴＶ受信部、１ｊ  機器本体側ＵＳＢコネクタ
２  車両装備スピーカ
３  ＵＳＢデバイス
４  専用ケーブル
５  車載用音響・映像機器の機器本体、５ａ  操作・表示部
６  ＵＳＢ標準ケーブル
【図１】
0004983706.tif 000002
【図２】
0004983706.tif 000003
【図３】
0004983706.tif 000004
【図４】
0004983706.tif 000005
【図５】
0004983706.tif 000006
【図６】
0004983706.tif 000007
【図７】
0004983706.tif 000008